(57)【要約】【課題】従来の指静脈認証システムは、装置の防犯対策がなされておらず、安全性に課題がある。また、利用者の認証情報を通信回線経由で、別のサーバに送付する手段がなく、クライアントごとに認証システムが必要でなため、コストが高いなどの課題があった。【解決手段】指静脈スマート端末、クライアント、及び認証端末は通信回線経由でクラウドサーバに接続する。指静脈スマート端末は指静脈認証装置とカバーより構成される。指静脈認証装置にはマザーボードを設け、指静脈採取装置、スピーカー、ＭＩＣ、カメラ、タッチパネル、無線通信モジュール、ＬＥＤランプ、ＲＦＩＤタグなどを繋がる。マザーボードにはメモリー及びスピーカーに接続する防犯ブザーを装備しておく。【選択図】図１
2016173809.tif 000002
【特許請求の範囲】
【請求項１】
指静脈スマート端末、通信回線、サーバ、クライアント、認証端末などで構成され、指静脈スマート端末、クライアント、及び認証端末は通信回線経由でクラウドサーバに接続され、指静脈スマート端末は指静脈認証装置とカバーより構成され、指静脈認証装置にはマザーボードを設け、指静脈採取装置、スピーカー、ＭＩＣ、カメラ、タッチパネル、無線通信モジュール、ＬＥＤランプ、ＲＦＩＤタグなどを繋がり、マザーボードにはメモリー及びスピーカーに接続する防犯ブザーを具備することを特徴とする指静脈セキュリティ管理基盤装置。
【請求項２】
請求項１における無線通信モジュールは、ＷｉＦｉ、ＧＰＳまたは３Ｇのいずれかとして設定された指静脈セキュリティ管理基盤装置
【請求項３】
請求項１における無線通信モジュールは、ＵＳＢアーク溶接またはＵＳＢ線でマザーボードに接続された指静脈セキュリティ管理基盤装置。
【請求項４】
請求項１における指静脈スマート端末のカバーは前蓋と後蓋より構築され、前蓋にはＭＩＣ、スピーカー、ＬＥＤランプ、タッチパネル及び指静脈採取装置の取付穴を装備し、指静脈採取装置の取付穴には、リムーバブルの壁面取付プレートより指静脈採取装置と接続しているカバーを有し、前蓋にはいくつかのボルトを有し、後蓋にはボルトに合ったネジ穴を有する指静脈セキュリティ管理基盤装置。
【請求項５】
請求項１における指静脈スマート端末のカバーの後蓋の底部には３つのＴ型のカードスロット、一つの螺旋コネクタ及び四つの壁面取り付け穴を有し、真ん中にはインターフェイスとケンジントンロック穴を装備している指静脈セキュリティ管理基盤装置。
【請求項６】
請求項１における指静脈スマート端末に置くブラケットには、壁面取り付け穴に合った壁面取り付けピンやケンジントンロック穴に合った防犯用凸のものがあり、底部にはブラケットに垂直した基台安定板がある。基台安定板には後蓋の螺旋コネクタに合ったコネクタを設置している指静脈セキュリティ管理基盤装置。
【請求項７】
請求項１の指静脈スマート端末の台座は後蓋のＴ型スロットに合ったＴ型凸のものを有する指静脈セキュリティ管理基盤装置。
【請求項８】
請求項７の台座には二つの固定コネクタを設置している指静脈セキュリティ管理基盤装置。
【請求項９】
請求項７の台座には後蓋の螺旋コネクタに合ったコネクタを設置している指静脈セキュリティ管理基盤装置。
【請求項１０】
請求項４の後蓋にはクーラを備え、請求項１のマザーボードにはＵＳＢポートとＴＦカードポートを備え、請求項４の前蓋の側面のシェルにはＵＳＢコネクタとＴＦカードのコネクタを有する指静脈セキュリティ管理基盤装置。
【発明の詳細な説明】
【技術分野】
【０００１】  本発明は指静脈セキュリティ管理基盤装置であり、生体認証領域での新しい技術である。
【背景技術】
【０００２】  セキュリティ身分認証システムとは、ユーザーの身分を識別し、応用システムへのアクセスを管理するシステムである。入退室、勤怠管理、ＰＣログイン、金庫、自動販売機など多方面に適用できる。現在、パスワード，ＩＤカードなどを使った認証方式がよく使われているが、下記のデメリットがある。【０００３】  パスワード認証は、パスワードを忘れてしまう状況がよく発生する。ＩＤカード認証は、ＩＤカードを持ち歩く必要があって、利便性が低く、紛失、盗難の恐れがある。指紋、掌形など認証は、生体情報の複製によって他人が成りすまし、認証される恐れがあり、セキュリティ上のリスクがある。【０００４】  マルチモーダル認証の中でもスキャンが比較的簡単で手軽であり、新世代のセキュリティソリューションの中で、生体認証は最有力な技術である。生体認証は、人間の身体的特徴を使って、個人を識別する認証方式である。現在、指紋、指静脈、顔、掌紋、虹彩などによる認証が実用化されているが、指紋など認証方式に比べると、指静脈認証は認証精度が高く、実施コストが低い。偽造や改ざんが極めて困難な特徴があり、安全性、利便性に優れている。【０００５】  現在、入退室、通路管理、勤怠管理、セキュリティドアなどで、一般的にパスワードやＩＣカード、指紋など認証方式を利用しているが、これらの認証方式は偽造や改ざんなどが起こりやすく、情報漏えいのリスクが存在している。指静脈技術を利用しても、ほかの認証方式を補完して使用できず、対話型インタフェースがないため、偽造や改ざんする可能性もある。そして、現在の指静脈関連製品は、サーバ認証とクライアント認証を組み合わせて認証する機能、リモート管理及び対話型インタフェースがないため、ネットワーク経由でアクセス状況を即時に把握できない。【０００６】  さらに、現在の指静脈スマート端末は下記のデメリットが存在している。
防犯ブザーがない。認証端末を取り出せる時に警報できないため、情報セキュリティ上の脅威がある。有線ＬＡＮを利用しており、配線のため、指静脈装置を壁に固定しなければならないので、自由に移動できない。キーボードで入力しているため、部品が多く、ユーザインターフェースの利便性が低い。そして、指静脈スマート端末とソフトウエアの間で、情報交換の手段がないため、指静脈スマート端末の入力情報を活用したソフトウエアの開発や利用が困難であった。
【先行技術文献】
【特許文献】
【０００７】
【特許文献１】  特許公報特開２０１５−２０１０４０
【発明の概要】
【発明が解決しようとする課題】
【０００８】  これらの問題を解決するため、指静脈セキュリティ管理基盤装置は認証精度が高い指静脈認証システムを利用し、指静脈スマート端末とソフトウエア間で情報交換可能な手段を提供することで、指静脈スマート端末の入力情報を活用したソフトウエアの開発、利用を可能にする。【０００９】  他の問題は、指静脈スマート端末の盗難のリスクを低減するため、意図しない取り出し時に防犯ブザーを鳴動する手段を提供することにある。【００１０】  他の問題は、指静脈スマート端末の可搬性を高め、より使いやすく利用可能な手段を提供することにある。
【課題を解決するための手段】
【００１１】  上記課題を解決するために、指静脈セキュリティ管理基盤装置は、指静脈スマート端末、通信回線、サーバ、クライアント、認証端末などで構成されている。【００１２】  指静脈スマート端末、クライアント、及び認証端末は通信回線経由でクラウドサーバに接続する。【００１３】  指静脈スマート端末は指静脈認証装置とカバーより構成される。指静脈認証装置にはマザーボードを設け、指静脈採取装置、スピーカー、ＭＩＣ、カメラ、タッチパネル、無線通信モジュール、ＬＥＤランプ、ＲＦＩＤタグなどを繋がる。マザーボードにはメモリー及びスピーカーに接続する防犯ブザーを装備しておく。無線通信モジュールはＷｉＦｉ、ＧＰＳまたは３Ｇのいずれかとして設定して、ＵＳＢアーク溶接またはＵＳＢ線でマザーボードに接続する。【００１４】  本体のカバーは前蓋と後蓋がある。
前蓋にはＭＩＣ、スピーカー、ＬＥＤランプ、タッチパネル及び指静脈採取装置の取付穴を装備している。指静脈採取装置の取付穴には、リムーバブルの壁面取付プレートより指静脈採取装置と接続しているカバーがある。
前蓋にはいくつかのボルトがあり、後蓋にはボルトに合ったネジ穴がある。後蓋の底部には３つのＴ型のカードスロット、一つの螺旋コネクタ及び四つの取り付け穴があり、真ん中にはインターフェイスコネクタとケンジントンロック穴を装備している。【００１５】  指静脈スマート端末に置くブラケットには、壁面取り付け穴に合った壁面取り付けピンやケンジントンロック穴に合った防犯用凸のものがあり、底部にはブラケットに垂直した基台安定板がある。基台安定板には後蓋の螺旋コネクタに合ったコネクタを設置している。【００１６】  指静脈スマート端末には台座もある。台座には後蓋のＴ型スロットに合ったＴ型凸のものがある。台座には二つの固定コネクタや後蓋の螺旋コネクタに合ったコネクタを設置している。【００１７】  後蓋にはクーラがある。マザーボードにはＵＳＢポートとＴＦカードポートがあり、前蓋の側面にはＵＳＢコネクタとＴＦカードのコネクタがある。
【発明の効果】
【００１８】    以上説明したように、本発明によれば、以下の効果がある。【００１９】  指静脈認証は、生体の指静脈パターンを利用するため、パスワードの失念とＩＣカードの紛失によるセキュリティリスクを有効に防止できる。【００２０】  防犯ブザーを設置することで、指静脈スマート端末を取り外された瞬間、ブザーが鳴るので、盗難対策として有効である。【００２１】  クライアント認証とサーバ認証を組み合わせて、認証精度と認証速度を向上できる。クライアント認証は通信故障などによる認証失敗を有効に防止できる。【００２２】  無線通信モジュールを設置しているので、配線の制限がない。【００２３】  台座を利用して指静脈スマート端末をデッスクに固定することができる。会議出席、オフィス、財務セキュリティ認証、プリンターなど様々な利用モデルがある【００２４】  ＲＦＩＤタグ認証方式と指静脈認証装置認証二つの認証方式があり、便利性を高める
【図面の簡単な説明】
【００２５】
【図１】  基本概念図
【図２】  システム構成図
【図３】  全体図
【図４】  部品の構造図
【発明を実施するための形態】
【００２６】  以下、図面を使用し、本発明の一実施例を説明する。
図１〜図４に示すように、指静脈セキュリティ管理プラットフォームは、指静脈スマート端末、通信回線、サーバ、クライアント、認証端末などで構成されている。指静脈スマート端末、クライアント、及び認証端末は通信回線経由でクラウドサーバに接続する。
【００２７】  指静脈スマート端末は指静脈認証装置とカバーより構成される。指静脈認証装置にはマザーボード１を設け、指静脈採取装置２、スピーカー３、ＭＩＣ４、カメラ５、タッチパネル６、無線通信モジュール７、ＬＥＤランプ、ＲＦＩＤタグ９などを繋がる。マザーボードにはメモリーやスピーカーに接続する防犯ブザーを装備しておく。
【００２８】  指静脈認証装置２は指静脈のパターンのイメージを採取し、スピーカーとＭＩＣは即時に対話でき、タッチパネルは各機能の選択と設置ができ、メモリーはユーザのデータを保存しておくことでクライアンの認証を実現できる。ＲＦＩＤタグはユーザのデータを読み出し、防犯ブザーは自動的に警報できる。
【００２９】  クライアント認証とは、認証端末はサーバを利用せずに、身分を識別できる認証方式である。メモリの容量が小さいため、認証速度はサーバ認証より遅い。サーバ認証は、ネット経由で認証端末に接続してサーバ側で認証し、認証速度はもっと速い。そして、メモリの容量が大きいため、チケット購買など大規模のデータベースに適用する。
【００３０】  サーバは検出した静脈パタンーンを認証端末に発送し、あらかじめ登録した静脈の構造パターンとマッチングさせて個人認識を行い、一致、不一致を判定する。データが三回以上一致しなかった場合、不審なアクセスと見なされ、システムは防護モードに入り、自動的にロックされた。
【００３１】  指静脈セキュリティ管理プラットフォームは入退室、ＰＣログイン、銀行セキュリティシステム、自動販売機など身分を識別してアクセス権限を管理する分野に適用される。認証端末とは金庫、自動販売機など身分を識別してアクセス権限を取得する端末である。
【００３２】  無線通信モジュールはＷｉＦｉ、ＧＰＳまたは３Ｇのいずれかとして設定して、ＵＳＢアーク溶接またはＵＳＢ線でマザーボードに接続する。有線のような引き回しなどの制限はないため、認証端末は自由的に移動でき、利便性を高める。
本体のフタは前蓋１１と後蓋１２より構築されている。
【００３３】  前蓋にはＭＩＣの取付穴１３、スピーカーの取付穴１４、ＬＥＤランプの取付穴３９、タッチパネルの取付穴１５及び指静脈採取装置の取付穴１６を装備している。
指静脈採取装置の取付穴には、リムーバブルの壁面取付プレート１９を装備して、指静脈採取装置２と接続しているカバー１８がある。
【００３４】  前蓋にはいくつかのボルト２０があり、後蓋にはボルトに合ったネジ穴２１がある。従来のスクリューは裂けやすい。本製品のスクリューは銅制で、固くて、酸化しにくい。
【００３５】  後蓋の底部には３つのＴ型のカードスロット２２、一つの螺旋コネクタ３３及び四つの壁面取り付け穴２４があり、真ん中にはインターフェイス２５とケンジントンロック穴２６を装備していて、端末の全体を壁面取付プレートに固定している。
【００３６】  指静脈スマート端末に置くブラケット２７には、カードスロットに合ったポート２８やケンジントンロック穴に合った防犯用凸のもの２９があり、底部にはブラケットに垂直した基台安定板３０がある。基台安定板３０には後蓋の螺旋コネクタに合ったコネクタ３１を設置している。
【００３７】  ブラケットの底部はボルトより後蓋と固定できる。防犯用凸のもの２９はケンジントンロック穴２６を差し込んで防犯ブザーを閉める。不審なアクセスと見なされる場合、システムは防護モードに入り、防犯ブザーは自動的に警報できる。指静脈スマート端末には台座３２もある。台座には後蓋のＴ型スロットに合ったＴ型凸のもの２３がある。
【００３８】  台座には二つの固定コネクタ３４があり、認証端末をデスクトップあるいはプラットフォームに固定できる。台座には後蓋の螺旋コネクタに合ったコネクタ３５を設置している。
【００３９】後蓋にはクーラ３６がある。マザーボードにはＵＳＢポート１０とＴＦカードポート８があり、前蓋の側面のシェルにはＵＳＢコネクタ３８とＴＦカードのコネクタ３７がある。
【００４０】  クーラは発熱したマザーボードを冷却できる。そして、拡張窓口が設置して、端末の機能を拡張できる。ＵＳＢポートとＴＦカードポートはデータの読み出しと書き込みができる。
【００４１】  マザーボードには有線通信モジュールがあり、後蓋には有線通信のコネクタ４０を設置しており
図２に示すように、本実施例は指静脈セキュリティ管理基盤装置であり、指静脈端末を利用して、ソフトウェア開発会社にデータ記憶のプラットフォームを提供した。ソフトウエア開発会社はソフトウェア製品を開発してから、このプラットフォームのクラウドサーバでデータを記憶しておく。クラウドサーバはＡＰＰ記憶モジュールと一般ユーザ向けのデータ記憶モジュールという分類がある。
ＡＰＰ記憶モジュールはソフトウェア開発会社及び部品製造メーカが開発したＡＰＰソフトの記憶に適用し、ユーザはサーバをアクセスしてデータをダウンロードできる。一般ユーザ向けのデータ記憶モジュールは、ユーザは必要に応じて自由にデータを記憶する。例えば、アクセス権限についての資料、社員身分証明についての資料の記憶など。
【００４２】  指静脈スマート端末は、入退室、ＰＣログイン、端末機器（プリンター、書類保存箱、金庫など）、ソフトウェア（ＣＲＭ、ＥＲＰ及び財務ソフトなど）、重要なデータの管理（財務、取引先、人事のデータなど）、コマーシャル、試験、社会保険、自動車学校などいろいろな身分認証端末である。
【００４３】  上記は添付の図に合わせて本発明の一実施例を説明するためのものであり、本発明の知的財産権及びその他の権利の保護範囲を制限するものではない。
【産業上の利用可能性】
【００４４】  本発明の指静脈セキュリティ管理基盤装置は、ソフトウエアの実行権限者を認証する機能に適用できる。
【符号の説明】
【００４５】１    マザーボード
２    指静脈採取装置
３    スピーカー
４    ＭＩＣ
５    カメラ
６    タッチパネル
７    無線通信モジュール
８    ＴＦカードのポート；
９    ＲＦＩＤタグ
１０  ＵＳＢポート；
１１  前蓋
１２  後蓋
１３  カメラのコネクタ
１４  ＭＩＣのコネクタ
１５  タッチパネルの取付穴
１６  指静脈採取装置の取付穴；
１７  スピーカーコネクタ
１８  指静脈採取装置のカバー；
１９  壁面取付プレート
２０  ボルト
２１  ボルト用穴
２２  Ｔ型カートのスロット
２３  Ｔ型の凸のもの
２４  壁面取り付け穴
２５  インターフェイス
２６  ケンジントンロック穴
２７  ブラケット
２８  壁面取り付けピン
２９  防犯用凸のもの
３０  基台安定板
３１  コネクタ
３２  台座
３３  螺旋コネクタ
３４  固定コネクタ
３５  台座コネクタ
３６  クーラ
３７  ＴＦカードコネクタ
３８  ＵＳＢコネクタ
３９  ＬＥＤランプコネクタ
４０  ネットワークポート。
【図１】
2016173809.tif 000003
【図２】
2016173809.tif 000004
【図３】
2016173809.tif 000005
【図４】
2016173809.tif 000006